(57)【要約】【課題】シールド断線が生じても信号の送信に伴うノイズの発生を抑制する。【解決手段】ＬＣＤが本体に対して可動し、本体に組み込まれたＳＯＣ（ＬＣＤコントローラー）とＬＣＤとをシールド付きのフレキシブルフラットケーブル（ＦＦＣ）を介して接続したものにおいて、ＦＦＣのシールド断線を検出するためのシールド断線検出回路を設け、シールド断線検出回路によりシールド断線が検出された場合に（Ｓ１００，Ｓ１１０）、動作周波数が低下するようクロック発振器を制御する（Ｓ１２０，Ｓ１３０）。これにより、ＦＦＣのシールド断線が生じても、信号の周波数が低下するから、放射ノイズの発生を許容範囲内に抑えることができる。【選択図】図５
2012204957.tif 000002
【特許請求の範囲】
【請求項１】
信号線がシールドされてなる信号ケーブルを介して受信装置側と接続され、動作周波数に従って信号を前記信号線に出力することにより前記受信装置に送信する送信装置であって、
変更可能な周波数をもって前記動作周波数を生成する動作周波数生成手段と、
シールド断線を検出するシールド断線検出手段と、
前記シールド断線が検出された場合には、前記シールド断線が検出されない場合に比して、前記動作周波数が低下するよう前記動作周波数生成手段を制御する制御手段と、
を備える送信装置。
【請求項２】
前記信号ケーブルは、フレキシブルフラットケーブルである請求項１記載の送信装置。
【請求項３】
請求項１または２記載の送信装置であって、
前記信号ケーブルは、筐体に対して可動する可動部材に接続され、
前記受信装置は、前記可動部材に組み込まれ、
前記送信装置は、前記筐体に組み込まれてなる
送信装置。
【発明の詳細な説明】
【技術分野】
【０００１】
本発明は、信号線がシールドされてなる信号ケーブルを介して受信装置側と接続され、信号を前記信号線に出力して該受信装置に送信する送信装置に関する。
【背景技術】
【０００２】
従来より、複数の電線とこの複数の電線を覆う電気シールド層とこの電気シールド層を覆うシースからなる電気ケーブルにおける電気シールド層の断線を検出するものが提案されている（例えば、特許文献１参照）。この装置では、電気シールド層に絶縁した状態で設けられた導体線により断線検出線を構成すると共に断線検出線に電圧源を設け、電圧源から断線検出線に電圧を印加した状態で導体線を流れる電流を検出することにより、シールド断線が生じているか否かを判定している。
【先行技術文献】
【特許文献】
【０００３】
【特許文献１】特開２００７−３０５４７８号公報
【発明の概要】
【発明が解決しようとする課題】
【０００４】
こうしたシールド層付きのケーブルでは、信号の伝送に伴う放射ノイズの発生を抑制することができるが、ケーブルの曲げや折れによりシールド断線が発生すると、シールド効果を発揮することができなくなるため、放射ノイズの発生を抑制できなくなってしまう。
【０００５】
本発明の送信装置は、シールド断線が生じても信号の送信に伴うノイズの発生を抑制することを主目的とする。
【０００６】
本発明の送信装置は、上述の主目的を達成するために以下の手段を採った。
【課題を解決するための手段】
【０００７】
本発明の送信装置は、
信号線がシールドされてなる信号ケーブルを介して受信装置側と接続され、動作周波数に従って信号を前記信号線に出力することにより前記受信装置に送信する送信装置であって、
変更可能な周波数をもって前記動作周波数を生成する動作周波数生成手段と、
シールド断線を検出するシールド断線検出手段と、
前記シールド断線が検出された場合には、前記シールド断線が検出されない場合に比して、前記動作周波数が低下するよう前記動作周波数生成手段を制御する制御手段と、
を備えることを要旨とする。
【０００８】
この本発明の送信装置では、シールド断線検出手段によりシールド断線が検出された場合には、シールド断線が検出されない場合に比して、動作周波数が低下するよう動作周波数を生成する動作周波数生成手段を制御する。これにより、信号線を通過する信号の周波数が低下するから、シールド断線が発生してもノイズの発生を抑制することができる。
【０００９】
こうした本発明の送信装置において、前記信号ケーブルは、フレキシブルフラットケーブルであるものとすることもできる。
【００１０】
また、本発明の送信装置において、前記信号ケーブルは、筐体に対して可動する可動部材に接続され、前記受信装置は、前記可動部材に組み込まれ、前記送信装置は、前記筐体に組み込まれてなるものとすることもできる。この場合、シールド断線が生じやすいため、シールド断線が生じても信号の送信に伴うノイズの発生を抑制することができるという本発明の効果をより顕著なものとすることができる。
【図面の簡単な説明】
【００１１】
【図１】本実施形態であるプリンター２０の外観を示す外観斜視図。
【図２】本実施形態のプリンター２０の液晶ディスプレイ（ＬＣＤ）２５のチルトの様子を示す説明図。
【図３】本実施形態のプリンター２０の機能ブロックを示すブロック図。
【図４】シールド断線検出回路７０の構成の概略を示す構成図。
【図５】シールド断線検出時処理ルーチンの一例を示すフローチャート。
【発明を実施するための形態】
【００１２】
次に、本発明の実施の形態を図面に基づいて説明する。図１は、本発明の一実施形態であるプリンター２０の外観を示す外観斜視図であり、図２は、本実施形態のプリンター２０のＬＣＤ２５のチルトの様子を示す説明図であり、図３は、本実施形態のプリンター２０の機能ブロックを示すブロック図である。
【００１３】
本実施形態のプリンター２０は、印刷機構４０（図３参照）を内蔵し用紙に印刷を行なうフォトプリンターとして構成されており、その外観としては、図１に示すように、本体２１の上面には本体２１を持ち運ぶための取っ手２２が、本体２１の背面にはセットした用紙を自動給紙するオートシートフィーダー２３が、本体２１の前面には印刷機構４０により印刷された用紙を保持する排紙トレイ２４と写真や印刷時の設定を確認するための液晶ディスプレイ（ＬＣＤ）２５が、本体２１の側面には電源をオンオフするための電源ボタン２６が、それぞれ設けられている。また、本体２１の前面には、排紙トレイ２４に隣接した位置に赤外線通信ポート２８（受光部）が設けられており、この赤外線通信ポート２８に発光部３０ａを向けてリモートコントロール装置３０を操作することにより、プリンター２０を遠隔操作できるようになっている。なお、リモートコントロール装置３０は、プリンター２０を遠隔操作するためのボタン類として、電源をオンオフするための電源ボタン３１と、印刷中に押されると印刷を中止し写真選択画面で押されると印刷枚数や写真の選択を解除するストップ／設定クリアボタン３２と、トップメニュー画面を表示するためのトップメニューボタン３３と、印刷枚数を設定するための印刷枚数設定ボタン（印刷枚数を１枚ずつ増やすプラスボタンおよび印刷枚数を１枚ずつ減らすマイナスボタン）３４と、項目や設定値を選択するための上下左右ボタン３５と、項目を決定したり次の画面に進むためのＯＫボタン３６と、一つ前の画面に戻る戻るボタン３７と、印刷を開始する印刷ボタン３８と、設定画面を表示する設定ボタン３９などを備える。
【００１４】
印刷機構４０は、図３に示すように、左右方向（主走査方向）にループ状に架け渡されたキャリッジベルト４３により駆動されガイド４２に沿って左右に往復するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから用紙Ｓに向けてインクを吐出する印刷ヘッド４５と、副走査方向に用紙Ｓを搬送する搬送ローラー４６とを備える。インクカートリッジ４４は、印刷機構４０の下方に取り付けられており、インクカートリッジ４４がキャリッジ４１上に搭載されていない、いわゆるオフキャリッジタイプである。印刷ヘッド４５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。
【００１５】
ＬＣＤ２５は、文字や図形，画像などを画面表示するディスプレイであり、９６０ドット×２４０ドットの画素により構成されている。また、ＬＣＤ２５は、本体２１に対して上下方向にスライドするスライド機構とチルトするチルト機構（図２参照）とを備えており、可動範囲内で上下位置と角度とを調整できるようになっている。
【００１６】
本実施形態のプリンター２０は、その制御系としては、図３に示すように、プリンター全体の制御を司るメインコントローラー５１と、印刷機構４０を制御するプリンターＡＳＩＣ４８と、赤外線通信ポート２８を介して入力した赤外線信号を操作信号として処理する赤外線通信コントローラー５７と、ＬＣＤ２５を表示制御するＬＣＤコントローラー６０と、メモリーカードスロット５８に挿入されたメモリーカードＭＣに対するデータの書き込みや読み出しを制御するメモリーカードコントローラー５９と、を備え、これらは１チップ上に集積されたシステムオンチップ（以下、ＳＯＣという）５０として構成されている。また、本実施形態のプリンター２０は、ＳＯＣ５０に対するクロック（基準動作周波数）を生成するためのクロック発振器６４と、クロック発振器６４で生成された基準動作周波数を一定倍することにより各部に必要な動作周波数を設定するクロックジェネレーター６６とを備える。クロック発振器６４は、例えば、電圧制御水晶発振器や電圧制御発振器，数値制御発振器などの発振周波数の変更が可能なものが用いられており、基準周波数の初期値としては、後述する放射ノイズが許容値を超えない範囲で比較的高い周波数Ｆｈｉ（例えば、３０ＭＨｚや３５ＭＨｚなど）に定められている。
【００１７】
ＬＣＤコントローラー６０は、図３に示すように、表面にアルミ箔テープなどのシールドテープが貼り付けられたフレキシブルフラットケーブル（以下、ＦＦＣという）６２を介してＬＣＤ２５に接続されており、クロックジェネレーター６６で設定された動作周波数に従った送信タイミングで画面表示に必要なデータをＦＦＣ６２を介してＬＣＤ２５に送信する。
【００１８】
ここで、波長λ［ｍ］で周波数ｆ［Ｈｚ］の電流ＩCM［Ａ］（コモンモード電流）が流れる微小ダイポールアンテナから距離ｒ［ｍ］離れたところの電界強度をＥCMとすると、電界強度ＥCMは次式（１）により求めることができ、波長λ［ｍ］で周波数ｆ［Ｈｚ］の電流ＩDM［Ａ］（ノーマルモード電流）が流れる面積Ａ［ｍ2］のループアンテナから距離ｒ［ｍ］離れたところの電界強度をＥDMとすると、電界強度ＥDMは次式（２）により求めることができる。電界強度ＥCMは式（１）に示すように周波数ｆに比例し、電界強度ＥDMは式（２）に示すように周波数ｆの２乗に比例するため、動作周波数を下げるほどノイズを小さくできることがわかる。但し、動作周波数を下げると、処理速度やデータ転送速度は遅くなる。
【００１９】
【数１】
2012204957.tif 000003
【００２０】
また、本実施形態のプリンター２０は、ＦＦＣ６２のシールド断線を検出するシールド断線検出回路７０を備える。シールド断線検出回路７０の概略構成図を図４に示す。シールド断線検出回路７０は、図示するように、ＦＦＣ６２のシールド面と絶縁して断線検出線７２を配線し、断線検出線７２の一端をＳＯＣ５０側の電圧検出端子に接続し、断線検出線７２の他端をグランドに接地し、断線検出線７２に抵抗７４を介して電圧源７６を接続したものとして構成されている。断線検出線７２は、曲げや折れに対する耐性がＦＦＣ６２のシールドテープよりも弱く形成されており、シールド断線が生じる前に断線するようになっている。したがって、ＳＯＣ５０は、電圧検出端子に入力される入力電圧Ｖがローレベル電圧Ｖｌｏのときには、ＦＦＣ６２にシールド断線が生じていないと判断し、入力電圧Ｖが電圧源７６と同等のハイレベル電圧Ｖｈｉのときには、ＦＦＣ６２にシールド断線が生じている可能性があると判断することができる。
【００２１】
メインコントローラー５１は、ＣＰＵ５２を中心とするマイクロプロセッサーとして構成されており、各種処理プログラムや各種データ、各種テーブルなどを記憶するＲＯＭ５３と、一時的にデータを記憶するＲＡＭ５４と、書き換え可能で電源を切ってもデータは保持されるフラッシュメモリー５５と、電源ボタン２６からの操作信号を入力するインターフェース（Ｉ／Ｆ）５６とを備える。このメインコントローラー５１は、メモリーカードスロット５８に挿入されたメモリーカードＭＣから画像ファイルなどを入力したり、赤外線通信コントローラー５７からの操作信号や印刷機構４０の各部からの検出信号などを入力したりする。また、メインコントローラー５１は、メモリーカードＭＣに編集画像などを保存したり、プリンターＡＳＩＣ４８への指令信号やＬＣＤコントローラー６０への制御信号を出力したりする。
【００２２】
次に、こうして構成された本実施形態のプリンター２０の動作、特に、シールド断線が検出されたときの動作について説明する。図５は、メインコントローラー５１により実行されるシールド断線検出時処理ルーチンの一例を示すフローチャートである。このルーチンは、所定時間毎に繰り返し実行される。
【００２３】
シールド断線検出時処理ルーチンが実行されると、電圧検出端子から入力電圧Ｖを読み込み（ステップＳ１００）、読み込んだ入力電圧Ｖがローレベル電圧Ｖｌｏか否かを判定する（ステップＳ１１０）。入力電圧Ｖがローレベル電圧Ｖｌｏの場合には、ＦＦＣ６２にシールド断線が生じていないと判断し、ステップＳ１００に戻ってステップＳ１００，Ｓ１１０の処理を繰り返す。この場合、クロック発振器６４の基準周波数Ｆｂとしては、初期値の周波数Ｆｈｉがそのまま維持される。一方、入力電圧Ｖがハイレベル電圧Ｖｈｉの場合には、ＦＦＣ６２にシールド断線が生じているおそれがあると判断し、基準周波数Ｆｂを例えば２０ＭＨｚや２５ＭＨｚなどの初期値の周波数Ｆｈｉよりも低下させた周波数Ｆｌｏに変更し（ステップＳ１２０）、変更した基準周波数Ｆｂとなるようクロック発振器６４を制御して（ステップＳ１３０）、本ルーチンを終了する。クロック発振器６４の制御は、例えば、電圧制御発振器として構成されている場合には印加する電圧を低下させることにより行なう。これにより、クロック発振器６４の基準周波数Ｆｂは低下し、この基準周波数Ｆｂを一定倍して設定される動作周波数も低下する。ＬＣＤコントローラー６０は動作周波数に従った送信タイミングで信号を送信するから、動作周波数が低下すると、信号（電流Ｉ）の周波数ｆも低下し、上述した式（１）および（２）に示すように、電界強度（放射ノイズ）が低下する。したがって、シールド断線が生じるものとしても、放射ノイズの発生を許容値を超えない範囲内に抑えることができる。
【００２４】
ここで、本実施形態の構成要素と本発明の構成要素との対応関係を明らかにする。本実施形態のクロック発振器６４とクロックジェネレーター６６とが本発明の「動作周波数生成手段」に相当し、シールド断線検出回路７０が「シールド断線検出手段」に相当し、図５のシールド断線検出時処理ルーチンを実行するメインコントローラー５１が「制御手段」に相当する。
【００２５】
以上説明した本実施形態のプリンター２０によれば、ＬＣＤ２５が本体２１に対して可動し、本体２１に組み込まれたＳＯＣ５０（ＬＣＤコントローラー６０）とＬＣＤ２５とをシールド付きのＦＦＣ６２を介して接続したものにおいて、ＦＦＣ６２のシールド断線を検出するためのシールド断線検出回路７０を設け、シールド断線検出回路７０によりシールド断線が検出された場合に、動作周波数が低下するようクロック発振器６４を制御するから、シールド断線が生じるものとしても、放射ノイズの発生を許容範囲内に抑えることができる。
【００２６】
上述した実施形態では、本発明の送信装置をＬＣＤ２５付きのプリンター２０に適用して説明したが、これに限られず、クロック発振器からのクロックにより動作周波数を設定し、設定した動作周波数で同期をとりながら送信する送信装置であれば如何なる装置にも適用可能である。
【００２７】
なお、本発明は上述した実施形態に何ら限定されることはなく、本発明の技術的範囲に属する限り種々の態様で実施し得ることはいうまでもない。
【符号の説明】
【００２８】
２０  プリンター、２１  本体、２２  取っ手、２３  オートシートフィーダー、２４  排紙トレイ、２５  液晶ディスプレイ（ＬＣＤ）、２６  電源ボタン、２８  赤外線通信ポート、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４６  搬送ローラー、４８  プリンターＡＳＩＣ、５０  システムオンチップ（ＳＯＣ）、５１  メインコントローラー、５２  ＣＰＵ、５３  ＲＯＭ、５４  ＲＡＭ、５５  フラッシュメモリー、５６  インターフェース（Ｉ／Ｆ）、５７  赤外線通信コントローラー、５８  メモリーカードスロット、５９  メモリーカードコントローラー、６０  ＬＣＤコントローラー、６２  フレキシブルフラットケーブル（ＦＦＣ）、６４  クロック発振器、６６  クロックジェネレーター、７０  シールド断線検出回路、７２  断線検出線、７４  抵抗、７６  電圧源、ＭＣ  メモリーカード。
【図１】
2012204957.tif 000004
【図２】
2012204957.tif 000005
【図３】
2012204957.tif 000006
【図４】
2012204957.tif 000007
【図５】
2012204957.tif 000008